(57)【特許請求の範囲】
【請求項１】
内側に家庭用薄葉紙を収納すると共に、収納された前記家庭用薄葉紙を外側に取り出す開口部が形成された容器本体と、前記開口部を開閉するように前記容器本体に取り付けられた蓋体とを備える家庭用薄葉紙収納容器であって、
前記開口部より狭小であって、前記家庭用薄葉紙を扱いて通過させる挿通部を、前記蓋体を閉じた状態で前記蓋体の前記開口部に対向する面に、当該面に対して交差する方向に向かって延出して前記開口部から前記容器本体の内側に入り込むように設けたことを特徴とする家庭用薄葉紙収納容器。
【請求項２】
前記挿通部は、前記家庭用薄葉紙を通過させる通過位置に前記家庭用薄葉紙をガイドするための開口又は切り欠きが形成されていることを特徴とする請求項１記載の家庭用薄葉紙収納容器。
【請求項３】
前記蓋体は、前記容器本体に対して回動可能に設けられ、
前記挿通部は、前記蓋体を開いた状態で前記開口部に対向するように前記蓋体に設けられていることを特徴とする請求項１又は２記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
家屋の床やトイレ、或いは人体などを拭くための家庭用薄葉紙を収納する家庭用薄葉紙収納容器は、容器本体が上下に分離可能に構成され、上側の容器本体の上面にはスリットや小孔からなる家庭用薄葉紙の取出部が形成されているものが広く知られている。
そして、家庭用薄葉紙収納容器の取出部は、内部の家庭用薄葉紙を取り出す際に、当該薄葉紙を扱いて適度に摺動抵抗を付与するようになっており、これにより、家庭用薄葉紙をミシン目で分離させて一枚ずつの取り出しを可能としている。また、取出部は、その摺動抵抗により、取り出された家庭用薄葉紙の次の家庭用薄葉紙が容器内部に戻らないようにその端部を保持して、次の家庭用薄葉紙の取り出しを容易にする機能も併せ持っている。
また、家庭用薄葉紙には、予め一枚一枚が分離されており、一部を重ねながら積層された状態で容器内部に収納されているものもあるが、このような家庭用薄葉紙を収納する家庭用薄葉紙収納容器の場合も、一番上の一枚を取り出す場合に取出部の摺動抵抗により次の家庭用薄葉紙の一部のみを引き出しつつ分離させる機能と次の家庭用薄葉紙の端部を保持する機能を有する取出部を具備している。
【０００３】
ところで、上述のような取出部を有する家庭用薄葉紙収納容器は、内部の家庭用薄葉紙を最初に取り出す場合には、狭い取出部に対し家庭用薄葉紙の端部を内側から外側に向かって通す作業が必須であり、容器本体の上部を一旦取り外さなければならないために、その作業が繁雑なものとなっていた。
そこで、取出部より広く開口した開口部を取出部の隣りに連結して形成し、開口部から引き出した家庭用薄葉紙の端部を挟持部側に引き込むことで取出部への挿通作業をより容易に行うことを可能とする家庭用薄葉紙収納容器が案出されている（例えば、特許文献１，２参照）。
【先行技術文献】
【特許文献】
【０００４】
【特許文献１】特開平１１−２２１１７０号公報
【特許文献２】特開平０７−２０６０５５号公報
【発明の概要】
【発明が解決しようとする課題】
【０００５】
しかしながら、上述した従来の家庭用薄葉紙収納容器の場合、開口部と取出部とが繋がっているため、家庭用薄葉紙の取り出しが容易となるほど開口部を広げると容器本体上部の剛性が低下することから開口部を十分な大きさとすることができず、家庭用薄葉紙の挿通作業を十分に容易に行うことができなかった。
また、家庭用薄葉紙の端部を開口部から引き出すことができたとしても、取出部の内側にアクセスすることができないので、引き出した家庭用薄葉紙の端部を開口部から取出部に導く作業は依然として煩雑であり、作業性の向上が十分とはいえなかった。
【０００６】
本発明は、家庭用薄葉紙の最初の引き出し作業を容易に行うことをその目的とする。
【課題を解決するための手段】
【０００７】
請求項１記載の発明は、内側に家庭用薄葉紙を収納すると共に、収納された前記家庭用薄葉紙を外側に取り出す開口部が形成された容器本体と、前記開口部を開閉するように前記容器本体に取り付けられた蓋体とを備える家庭用薄葉紙収納容器であって、前記開口部より狭小であって、前記家庭用薄葉紙を扱いて通過させる挿通部を、前記蓋体を閉じた状態で前記蓋体の前記開口部に対向する面に、当該面に対して交差する方向に向かって延出して前記開口部から前記容器本体の内側に入り込むように設けたことを特徴とする。
【０００８】
請求項２記載の発明は、請求項１記載の発明と同様の構成を備えると共に、前記挿通部は、前記家庭用薄葉紙を通過させる通過位置に前記家庭用薄葉紙をガイドするための開口又は切り欠きが形成されていることを特徴とする。
【０００９】
請求項３記載の発明は、請求項１又は２記載の発明と同様の構成を備えると共に、前記蓋体は、前記容器本体に対して回動可能に設けられ、前記挿通部は、前記蓋体を開いた状態で前記開口部に対向するように前記蓋体に設けられていることを特徴とする。
【発明の効果】
【００１１】
請求項１記載の発明は、家庭用薄葉紙を扱いて通過させる挿通部を有するので、容器本体内でミシン目を介して連接された家庭用薄葉紙や予め分離し折り畳まれて重ねられた状態で収容される家庭用薄葉紙を引き出す際にその引っ張り力で個々の家庭用薄葉紙に分けることが可能である。また、次の家庭用薄葉紙を取り出す場合でも、前の家庭用薄葉紙の引き出しにより、挿通部でその一端部が保持されるので、あらためて容器本体内から家庭用薄葉紙を取り出す作業を不要とする。
また、挿通部が蓋体に設けられているので、蓋体を開いた状態で、挿通部は開口部の外側に位置することとなり、挿通部の上側と下側のいずれにもアクセスすることができ、最初の家庭用薄葉紙を通す作業を容易に行うことが可能となる。
また、容器本体側に開口部を設け、蓋体側に挿通部を設ける構成としたので、開口部と挿通部と一体的につなげて容器本体に形成する場合と異なり、容器本体の剛性を損なわないことから、開口部をより大きなサイズで形成することができ、家庭用薄葉紙の取り出しも容易に行うことが可能となる。
また、蓋体を閉じると挿通部が開口部から容器本体の内側に入り込む配置で設けられているため、挿通部が妨げとならず、蓋体の開閉動作を円滑且つ確実に行うことが可能となる。
【００１２】
請求項２記載の発明は、挿通部には、家庭用薄葉紙を通過させる通過位置に家庭用薄葉紙を導くためのガイド構造である開口又は切り欠きを形成したので、開口部から引き出された家庭用薄葉紙の先端部をさらに容易に通過位置に導くことができ、さらなる作業性の向上を図ることが可能となる。
【００１３】
請求項３記載の発明は、回動可能とする蓋体を開いた状態で挿通部が開口部に対向するように設けられているので、開口部から取り出した家庭用薄葉紙を容易に挿通部に導くことができ、作業性の向上を図ることが可能となる。
【図面の簡単な説明】
【００１５】
【図１】本発明を適用した実施形態として例示する家庭用薄葉紙収納容器を正面上方から見た斜視図である。
【図２】図１におけるＷ−Ｗ線に沿った家庭用薄葉紙収納容器の断面図であって、小蓋が開状態の場合を示す。
【図３】小蓋に設けられたバネ構造の拡大断面図であって、図３（Ａ）は小蓋を閉じた時のバネ構造の状態を示し、図３（Ｂ）は小蓋を開き始めた時のバネ構造の状態を示し、図３（Ｃ）は小蓋が開かれた時のバネ構造の状態を示す。
【図４】図１におけるＷ−Ｗ線に沿った家庭用薄葉紙収納容器の断面図であって、小蓋が閉状態の場合を示す。
【図５】図１におけるＷ−Ｗ線に沿った家庭用薄葉紙収納容器の断面図であって、小蓋が開き始めの状態の場合を示す。
【図６】図６（Ａ）〜（Ｃ）はそれぞれガイド構造の具体例の平面図である。
【発明を実施するための形態】
【００１６】
図１は本発明の実施形態としての家庭用薄葉紙収納容器１０を正面上方から見た斜視図であり、図２は図１におけるＷ−Ｗ線に沿った家庭用薄葉紙収納容器１０の断面図である。なお、以下の説明において、鉛直上下方向をＺ軸方向、所定の水平方向をＸ軸方向、水平であってＸ軸方向に直交する方向をＹ軸方向とし、Ｘ軸方向の一方を前方、他方を後方と定義し（図２参照）、Ｙ軸方向の一方を左方、他方を右方と定義し（図１参照）、Ｚ軸方向の一方を上方、他方を下方と定義する（図１参照）。また、以下に説明する家庭用薄葉紙収納容器１０は水平面上に置かれた状態にあるものとして説明し、水平面に置かれた状態で家庭用薄葉紙収納容器１０の上面は水平となるものとする。
【００１７】
（家庭用薄葉紙収納容器の概略構成）
家庭用薄葉紙収納容器１０は、図２に示すように、例えば、内側にロール状の家庭用薄葉紙Ｐ（例えば、ロール状に巻かれたウェットシートやウェットティッシュ等のロールペーパー）を収納するとともに、収納された家庭用薄葉紙Ｐを外側に取り出す開口部４１が形成された容器本体２０と、この容器本体２０に開口部４１を開閉するように取り付けられた蓋体としての小蓋５０と、開口部４１から引き出される家庭用薄葉紙Ｐを挿通させる挿通部６０とを備えて構成されている。
この家庭用薄葉紙収納容器１０に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
【００１８】
（容器本体）
容器本体２０は、容器本体２０の下部をなす有底円筒形状のボトル３０と、容器本体２０の上部をなす蓋４０とで構成されている。
【００１９】
ボトル３０は、図２に示すように、底部から上端部近傍までほぼ一定の円筒状であり、上端部３１はやや小径に形成されると共に大きく開口している。また、このボトル３０の上端部３１の外周面には、周方向に沿って雄ネジ部が形成されている。なお、ボトル３０の下部（底部）の図示は省略している。
ボトル３０は、円筒状であることから、前述したロール状の家庭用薄葉紙Ｐをほぼ同心位置に配置して収納することを可能としている。また、家庭用薄葉紙Ｐは、ロールの中心側から紙片を繰り出すようになっている。
このボトル３０は、例えば、ＰＥ（ポリエチレン）やＰＰ（ポリプロピレン）、或いはＰＥＴ（ポリエチレンテレフタレート）、ＡＢＳ樹脂等を用いて、射出成形、二色成形、ブロー成形等により一体的に形成されている。
【００２０】
蓋４０は、ボトル３０に比べて丈の短い円筒状であって、その上端側は天面部４２により閉塞され、下端部は開口している。また、蓋４０は外径はボトル３０の外径とほぼ等しく、その内周面にはボトル３０の雄ネジ部に螺合する雌ネジ部が形成されている。この雌ネジ部により、蓋４０は前述したボトル３０の上端部３１に対して着脱可能となっている。
蓋４０は着脱可能であるため、ボトル３０から取り外した状態では、ボトル３０の内部に家庭用薄葉紙Ｐを充填することを可能とし、蓋４０をボトル３０に取り付けた状態では内部の家庭用薄葉紙Ｐのロールが外に出ないように保持することを可能とする。
この蓋４０は、例えば、ＰＥやＰＰ、或いはＰＥＴ、ＡＢＳ樹脂等を用いて、射出成形、二色成形、ブロー成形等により一体的に形成されている。
【００２１】
また、容器本体２０の一部を成す蓋４０の天面部４２の中央部は、前述した小蓋５０の外形に対応した形状の凹部４３が形成されており、当該凹部４３に嵌合するように小蓋５０が天面部４２に取り付けられている。
また、凹部４３の中央部には、円筒部４４が立設されており、その内側が上下に貫通して開口部４１となっている。この円筒部４４の上端には周外に向かって突出したフランジ状の係止部４４ａが形成され、小蓋５０を閉じたときに係止することを可能としている。
上記開口部４１は、ボトル３０に蓋４０を取り付けたままの状態で内側の家庭用薄葉紙Ｐを取り出すためのものであり、その内径が少なくとも指二本分程度の幅以上とすることが望ましい。
【００２２】
（小蓋）
小蓋５０は、蓋４０の天面部４２の上面に回動可能に取り付けられており、Ｙ軸回りの回動により開口部４１の開閉を行うようになっている。
この小蓋５０は、図１に示すように、その平面形状が略半長円状に形成されており、凹部４３に嵌合させることが可能である。また、小蓋５０の後端部には、蓋４０の天面部４２に形成された取付穴４５に挿入する係止爪５１が設けられており、これにより、小蓋５０は蓋４０に支持された状態となる。
また、小蓋５０の後端部近傍にはＹ軸方向に沿って折曲可能とするヒンジ部５２が形成されており、凹部４３に嵌合して開口部４１を閉じた状態（図４参照）から、図２に示す起立状態（開状態）まで回動することを可能としている。
【００２３】
また、小蓋５０の裏面（閉じた状態で下側となる面）には、蓋４０の天面部４２に形成された円筒部４４よりも幾分内径の大きな円筒部５３が形成されている。かかる円筒部５３の下端部には内側に向かって凸となる係止部５３ａが全周に渡って形成されている。そして、小蓋５０を閉じると、円筒部５３の内側に蓋４０の円筒部４４が入り込み、互いの係止部４４ａ、５３ａが噛み合って小蓋５０の閉じた状態に保持するようになっている。
なお、小蓋５０は、蓋４０と同様に、ＰＥやＰＰ、或いはＰＥＴ、ＡＢＳ樹脂等を用いて、射出成形、二色成形、ブロー成形等により一体的に形成されている。従って、小蓋５０、蓋４０は互いに可撓性を有しているので、小蓋４０の前端部を上方に引っ張る操作で簡単に噛み合いを解いて小蓋５０を開くことが可能となっている。
【００２４】
また、小蓋５０のヒンジ部５２の中央には、小蓋５０を閉状態と開状態とに維持する保持圧を付与するバネ構造５４が形成されている。図３はこのバネ構造５４の拡大断面図である。
かかるバネ構造５４は、ヒンジ部５２において、前述した円筒部５３と係止爪５１に隣接する支持壁５５との間に架設された平板状の構造体からなる。このバネ構造５４は、ヒンジ部５２の回動軸線に対して直交する方向に延設され且つ当該回動軸線から幾分ずれて配置され、小蓋５３を閉じた時に自然長の状態となるようになっている（図３（Ａ））。
そして、小蓋５３を開状態に向けて起伏回動させると、円筒部５３と支持壁５５との間隔が広がってバネ構造５４が引っ張られ、小蓋５３に閉状態側へ復させる方向に張力を生じるが（図３（Ｂ））、さらに、これに抗して小蓋５０を回動させると、円筒部５３と支持壁５５とが再び近接し、バネ構造５４の長さが自然長に戻り、小蓋５０は一定の起伏角度の状態（以下、これを小蓋５０の「開状態」という）を維持することができる（図３（Ｃ））。
このように、バネ構造５４により、閉状態と開状態の二位置に小蓋５０はその回動角度が維持されるようになっている。
なお、このバネ構造５３は、小蓋５０と一体的に同じ素材から形成されているが、同様に機能する別部材、例えば、コイルバネや板バネで構成しても良い。
【００２５】
（挿通部）
容器本体２０の蓋４０に設けられた開口部４１は、内部の家庭用薄葉紙Ｐを取り出すためのものであるが、広く開口しているため、取り出される家庭用薄葉紙Ｐに対してほとんど抵抗を付与することがない。このため、各家庭用薄葉紙Ｐがミシン目で連接されているロール状の家庭用薄葉紙を使用する場合、最初の一枚を取り出すと、これに連接された次の家庭用薄葉紙Ｐも引き出されてしまうため、使用者が手で切り離さなければならない。また、一枚目の家庭用薄葉紙Ｐを切り離すと、次の家庭用薄葉紙Ｐは容器本体２０の内側に戻ってまうため、次の家庭用薄葉紙Ｐを使うときには、再び開口部４１に指を入れて引き出さなければならない。
このような煩雑性を解消するために、本実施形態である家庭用薄葉紙収納容器１０には、小蓋５０の裏面（小蓋５０の閉状態で開口部４１に対向する面）に家庭用薄葉紙Ｐを下から上に向かって挿通させる挿通部６０が設けられている。
【００２６】
この挿通部６０は、小蓋５０と同じ素材により一体的に成形された平板状の部材であり、円筒部５３の内側から片持ち梁のように小蓋５０の裏面に対して交差する方向に向かって延出されている。挿通部６０の平板面は、例えば、小蓋５０のヒンジ部５２の回動軸線に平行であって、小蓋５０が前述した開状態の時に開口部４１の上方で対向する角度で小蓋５０の裏面に設けられている。より具体的には、小蓋５０がバネ構造５３により規定された開状態となる角度の時に、蓋４０の天面４２に平行（つまり水平）となるように角度が設定されている。
また、この挿通部６０の先端部は、小蓋５０を開状態と閉状態との間を回動させる際に、図２に示す矢印Ｋの軌跡をたどるようになっており、小蓋５０の開閉動作時に開口部４１やその周囲に挿通部６０の先端部が接触しないよう配置されている。また、小蓋５０を閉じた時に、挿通部６０の先端部が家庭用薄葉紙Ｐのロールに届かない長さに設定されている。
【００２７】
そして、挿通部６０は、小蓋５０の開状態において上下に貫通形成された家庭用薄葉紙Ｐの通過位置である切り込み部６１が形成されている。かかる切り込み部６１は、平面視で十字状に形成され、開口部４１から取り出された家庭用薄葉紙Ｐがその中心を上方に向かって通過する際に、当該家庭用薄葉紙Ｐを扱いて適度に摺動抵抗を付与するようになっている。これにより、家庭用薄葉紙Ｐの使用時にその摺動抵抗が家庭用薄葉紙Ｐに作用し、ミシン目からの分離が促されると共に、次の家庭用薄葉紙Ｐの先端部が一部切り込み部６１に挟まれた状態で保持されるので、容器本体２０に戻ることが防止され、次の家庭用薄葉紙Ｐも開口部４１から取り出すことなく、すぐに使用することが可能となる。
【００２８】
（家庭用薄葉紙収納容器の使用時の効果説明）
次に、上述した家庭用薄葉紙収納容器１０の使用時の取り扱いについて説明する。図４は小蓋５０の閉状態、図５は小蓋５０の開きかけの状態を示す動作説明図である。
まず、容器本体２０内に家庭用薄葉紙Ｐのロールが収納され、図４に示す小蓋５０が閉じられた状態からその前端部を引き上げると、蓋４０と小蓋５０の各突起部４４ａ，５３ａの噛み合い状態が外れ、図５に示すように、小蓋５０が上方に回動する。このとき、開口部４１内に入り込んでいた挿通部６０は徐々にその外部に移動する。また、小蓋５０のバネ構造５４は小蓋５０の閉状態への復帰力を生じるが、これに抗してさらに小蓋５０を引き上げると、小蓋５０は図２に示す開状態で保持される。
また、この時、挿通部６０は水平状態となり、開口部４１のほぼ真上に位置する状態となる。
そして、家庭用薄葉紙Ｐの最初の一枚目を開口部４１から引き出し、その端部を挿通部６０の切り込み部６１に対して下側から上側に押し込んで挿通させる。これにより、切り込み部６１からのぞいた家庭用薄葉紙Ｐの先端部を挿通部６０の上側から摘み、引き上げると、家庭用薄葉紙Ｐは切り込み部６１で扱かれ、摺動抵抗を付与されながら引き出されることとなる。従って、次の家庭用薄葉紙Ｐと境にあるミシン目が切り込み部６１を通過すると、当該ミシン目で家庭用薄葉紙が切り離され、一枚ずつの取り出しが行われる。また、ミシン目が通過してから切り離されるので次の家庭用薄葉紙Ｐの先端部が切り込み部６１に保持され、容器本体２０内への戻りが防止される。
さらに、家庭用薄葉紙Ｐが使い終わったときには、小蓋５０を閉じると、家庭用薄葉紙Ｐの先端部を保持した状態のままで挿通部６０は開口部４１内に入り込み、次に、再び、家庭用薄葉紙Ｐを使用する際には、小蓋５０を開けると、挿通部６０が家庭用薄葉紙Ｐのの先端部を保持した状態で開口部４１の外側に出てくることとなり、再度の挿通作業を不要とすることができる。
【００２９】
家庭用薄葉紙収納容器１０では、挿通部６０が小蓋５０に設けられているので、小蓋５０を開いた状態で、挿通部６０は開口部４１の外側に位置することとなり、挿通部６０の上側と下側のいずれにもアクセスすることができ、最初の家庭用薄葉紙Ｐを通す作業を容易に行うことが可能となる。
また、蓋４０側に開口部４１を設け、小蓋５０側に挿通部６０を設ける構成としたので、開口部と挿通部と一体的につなげて容器本体に形成する場合と異なり、容器本体２０の剛性を損なわないことから、開口部４１をより大きなサイズで形成することができ、家庭用薄葉紙Ｐの取り出しも容易に行うことが可能となる。
【００３０】
さらに、家庭用薄葉紙収納容器１０は、小蓋５０を開いた状態で挿通部６０が開口部４１に対向するように設けられているので、開口部４１から取り出した家庭用薄葉紙Ｐを容易に挿通部６０に導くことができ、作業性の向上を図ることが可能となる。
また、挿通部６０は、小蓋６０を閉じる開口部４１から容器本体２０の内側に入り込む配置で設けられているため、挿通部６０が妨げとならず、小蓋５０の開閉動作を円滑且つ確実に行うことが可能となる。
【００３１】
（その他）
挿通部６０は、小蓋５０と一体的に成形しているが、挿通部６０を単体の部品で形成し、接着などにより小蓋５０に取り付けても良い。
また、挿通部６０の家庭用薄葉紙Ｐの通過位置は上述した十字の切り込み部６１に限らず、一文字のスリット、円形その他の形状の小孔、二つの部材の隙間を通す等、通過する際に家庭用薄葉紙Ｐを摺動して適度の抵抗を付与するいかなる構造を採用しても良い。また、挿通部６０の通過位置のみ材質を替えて別部材としたり、隙間や穴の大きさを調節して家庭用薄葉紙Ｐに付与する摺動抵抗が適切となるように設計することが望ましい。
【００３２】
なお、小蓋５０は、開口部４１を開く際に容器本体２０から分離されるタイプのものではなく、容器本体２０のいずれかの位置で支持されるものであることが望ましい。
また、挿通部６０は、上記の例のように、板状である必要はなく、小蓋５０を開いたときに開口部４１の上方に位置し、なお且つ、家庭用薄葉紙Ｐを挿通させることができる種々の構造（ブロック状、環状、棒状、その他）をとることが可能である。
【００３３】
また、上記家庭用薄葉紙収納容器１０ではロール状の家庭用薄葉紙Ｐを収納する場合を例示したが、例えば、一枚ずつカットされた家庭用薄葉紙Ｐを略二つ折りにして、互い違いに重ねて収納する場合にも、上記家庭用薄葉紙収納容器１０は適用可能である。なお、その場合、容器本体２０は直方体形状とすることがより望ましく、また、開口部４１は長円、長方形とする事が望ましい。
【００３４】
（ガイド構造）
挿通部６０の通過位置である切り込み部６１に対して、家庭用薄葉紙Ｐを下から挿通させる際に、家庭用薄葉紙Ｐの端部を容易に通過位置に導くためのガイド構造を挿通部６０に追加しても良い。図６（Ａ）〜（Ｃ）にガイド構造の具体例を図示する。
例えば、ガイド構造としては、図６（Ａ）又は図６（Ｂ）に示すように、挿通部６０の側方外縁部又は前方外縁部から通過位置である切り込み部６１まで切り欠いた切り欠き６２，６３としても良い。この場合、外縁部から家庭用薄葉紙Ｐの端部を切り込み部６１まで引き込むので、外縁部側を広く、切り込み部６１に向かうにつれて狭くなる形状とすることが望ましい。
【００３５】
また、外縁部を切り欠く替わりに、図６（Ｃ）に示すように、切り込み部６１に繋がった開口部６４を形成しても良い。その場合、開口部６４の下方から家庭用薄葉紙Ｐの先端部を通し、そこから切り込み部６１に引き込むことで家庭用薄葉紙Ｐの挿通作業が行われる。なお、開口部６４は、切り込み部６１の隙間より広く開口し、容易に家庭用薄葉紙Ｐを通すことが可能な構造であることが要求される。
これらのガイド構造により、家庭用薄葉紙Ｐを挿通部６０に挿通させる作業をより容易に行うことができ、作業性を向上することができる。
【符号の説明】
【００３６】
１０  家庭用薄葉紙収納容器
２０  容器本体
３０  ボトル
４０  蓋
５０  小蓋（蓋体）
５４  バネ構造
６０  挿通部
６１  切り込み部（通過位置）
６２，６３  切り欠き（ガイド構造）
６４  開口部（ガイド構造）
Ｐ  家庭用薄葉紙
【図１】
0005590914.tif 000002
【図２】
0005590914.tif 000003
【図３】
0005590914.tif 000004
【図４】
0005590914.tif 000005
【図５】
0005590914.tif 000006
【図６】
0005590914.tif 000007